(57)【要約】【課題】カーポートにおいて、屋根を可動式とし、駐車車輛の頂部とカーポートの屋根との間隔を狭くし利用価値を高めることを目的とする。【解決手段】カーポートの支柱に昇降機能を具備し、該昇降機能の設定位置（高さ）を其其の支柱において変えることで、屋根の高さと傾斜角とを調節し、その傾斜角を大きくすることで屋根の雪を落雪させることができる。また、２台の並列駐車において、屋根を２分割し、其其の高さを任意に設定することで各車輛に適切な屋根の利用状況を提供することができる。【選択図】図４
2017206808.tif 000002
【特許請求の範囲】
【請求項１】
カーポートにおいて、屋根を支持する２本の昇降機能を具備する支柱と、該支柱の最上部に備えた回動式駆動部に支持される２本の屋根支持アーム、若しくは該支柱の最上部に備えた固定部に支持される伸縮機能を具備する屋根支持アームとの何れかにより、屋根の高さと傾斜角とを可変可能することを特徴とするカーポート
【請求項２】
屋根を支持する４本の昇降機能を具備する支柱であって、該支柱の片側の２本の底部を回動構造とすることで、屋根の高さと傾斜角とを可変可能とすることを特徴とするカーポート。
【請求項３】
屋根を支持する２本の昇降機能を具備する支柱であって、該支柱の一方となるメインシリンダに備えられた屋根支持部となるシリンダヘッドジョイントが継合部に設けられた開口部内において移動することで、屋根の高さと傾斜角とを可変可能とすることを特徴とするカーポート。
【発明の詳細な説明】
【技術分野】
【０００１】
本発明は、カーポートにおける昇降可能となる屋根の構造に関する。
【背景技術】
【０００２】
カーポートは一般に個人住宅に設置され、床は土間コンクリートやインターロッキングブロックによるものが多く、支柱に屋根を取り付けた車輛駐車用の屋根構造で、主に周囲の壁を備えない簡素な構造である。屋根は幾つかの種類があり、波板鋼板による比較的頑丈な構造のものや、樹脂による半透明の平板状のものも多用されている。
【０００３】
特許文献１においては、カーポートの支柱や屋根の構造において考案がなされ、特許文献２においては支柱を摺動構造とすることで屋根の高さを可変する手段が開示されている。この屋根の高さを可変とすることは非常に利用価値が高く、例えば車輛の最上部に近い位置に屋根が設置されることで、雨や埃の吹き込み、特に雪の吹き込みには大きな効果を奏する。寒冷地は冬期にフロントウィンドゥの積雪や凍結の為、暖気運転や霜取り作業等支障を来している。また、ワンボックス車やＲＶ車の屋根にアタッチメントやキャリーバッグを搭載した車輛は全高が高く、通常のカーポートを利用できない状況であり、屋根の位置を高くする必要がある。
【先行技術文献】
【特許文献】
【０００４】
【特許文献１】特開２０１５−２１８４３６号公報
【特許文献２】特開２０１２−０６２６２２号公報
【発明の概要】
【発明が解決しようとする課題】
【０００５】
そこで、カーポートの屋根が昇降式となることで対応する訳であるが、特許文献２に開示される方法によると、作業方法として屋根を昇降させる際（摺動時）にボルトを外す為屋根を浮かせて支える必要がある。つまりクレーン車で吊り下げるか、足場を作り数人で持ち上げる必要があり大変な作業である。悪天候時には更に困難となり作業内容に多くの課題を抱えるように思われる。ボルトの使用方法においては非常に詳細に記載されているものの、作業方法については何ら開示されておらず釈然としない。
【０００６】
また、屋根の傾斜角を変えることのできる構造として、請求項５に吊り下げ式が記載されているものの支柱が何本なのか不明である。例えば両側に１本ずつで計２本の場合、風の影響を受け易く設置は不可能といえる。四隅に１本ずつで計４本の場合であっても、吊り下げ式はワイヤー等を利用すると、やはり強風時には屋根が揺れて支柱と接触する構造であり支障を来す。しかし屋根が揺れないために固定すると屋根の昇降時に支障を来す。何れにしても屋根の占有面積以外に支柱を立て込むためのスペースが必要であり、幾つかの課題を抱える構造である。
【０００７】
そこで屋根の昇降式となるカーポートにおいて、利用形態が容易であり、屋根の設置状況においても効果的となる構造のカーポートを提供することを課題とする。
【課題を解決するための手段】
【０００８】
カーポートの屋根を昇降可能とする構造として幾つか考えられる中でも、近年多用されているアクチュエーターによる油圧シリンダが最適と考えられる。屋根を支持する支柱は屋根の大きさ、つまり駐車スペースと大きく関係するもので、例えば１台駐車の場合、２台駐車の場合、また賃貸駐車場のように多数の車を駐車する場合等によって決定されることとなる。
【０００９】
一般家庭においては１〜２台で対応し、それ以上の台数の場合は、カーポートを増設するかシャッター式の車庫とを併用する形態が一般的となっている。大型駐車場の場合は屋根の大きさや形状、強度、重さにより、また桁の強度等により支柱の位置や強度が決定されるものであり、ここでは通称カーポートと呼ばれる家庭向けの１〜２台の駐車を中心に説明する。
【００１０】
屋根用の支柱の配置としては、１台駐車の場合は両側面に１本ずつの計２本によるものと、片側のみの前後に１本ずつの計２本による形態が大半である。２台駐車（並列）の場合は、両側面に１本ずつの計２本によるものと、四隅のコーナー付近に１本ずつの計４本の形態が主流である。
【００１１】
そこで、例えば支柱に油圧シリンダを利用することで屋根の昇降可能とすることができる訳だが、支柱の数が少ない場合は強風等の影響により支柱の強度が必要となる。当然油圧シリンダのコストも嵩むこととなり、また、支柱の数が多いと油圧シリンダのコストは抑えられるものの設置する数量が多くなる。
【００１２】
そこで、一つの方法として考えられるのが、油圧シリンダは保護やメンテナンスのためケーシング内に備えられる方法が想定される。そのケーシングを強固にし油圧シリンダを保持する構造とする。そうすることで油圧シリンダは屋根の重量を昇降させるのみで、強風時における左右への衝撃に影響されることはない。しかし、この支柱の本数が少ない構造は、支柱の本数が多い場合に比べコスト的に有利なのか、またどの程度有利なのかは明確ではないが、選択技の一つとして重要な位置を占めると考えられる。
【００１３】
油圧シリンダによって屋根を昇降させる構造は、その操作方法によって屋根の傾斜角を容易に可変することができる。そこで屋根の傾斜角を大きくすることで屋根の積雪を落下させることができる。この構造は幾つかの課題を抱えるものであり、形態の項にて詳しく説明する。
【００１４】
更に車輛２台の並列駐車時において、車高の低い車と車高の高い車とを駐車した場合、屋根の高い車に合わせて、屋根の高さが決められるため、車高の低い車には不利な状況となる。これに対し其其の車の高さに合わせられるように屋根を分割した構造とし、油圧シリンダも其其操作できる構造とする。
【発明の効果】
【００１５】
車輛と、カーポートの屋根との間隔が狭くなることによって得られる効果としては、雨や埃、雪等の吹き込みが少なくなることである。特に雪は強風時に多く吹き込み、朝にはフロントガラスに積もり、また凍り付いてしまい即座に運転できない状況となっている。これに対し、屋根を車輛に近づけ更に傾斜角によって車輛前方（フロントガラス均傍）の間隔を特に狭くすることで雪も殆んど吹き込むことはない。また、夏の陽差しにおいても朝日や夕日のような斜光であっても効果的といえる。
【００１６】
もう一つの効果としては、カーポートの屋根の積雪を落とすことで、雪降ろしをしなくてよい事である。カーポートの屋根の素材は樹脂によるものが多く、雪降ろしの際は非常に滑りやすく危険である。また、積雪が一度に落下し多くの支障を来している。これらに対し安全に対応することができるものであり、また、住居の屋根より積雪や氷塊が落ちてきてカーポートの屋根を破損する事故も少なくはない。これに対しては、カーポートの屋根の傾斜角を大きくしてから住居の屋根の雪を降ろすことで破損を防ぐことができると考えられる。
【００１７】
また、降雨に対しても屋根の傾斜が緩い場合は、雨水が軒先直下へ落下し、傾斜が大きい程遠くへ流出するものである。このように道路に面し歩行者の多い場合等雨水は道路側や私有地側へと対応し易い構造といえる。
【図面の簡単な説明】
【００１８】
【図１】本発明によるカーポートの前後２本からなる支柱の回動式支持アームによる正面図
【図２】前後２本からなる支柱の伸縮式支持アームによる正面図
【図３】左右２本からなる支柱の回動式支持アームによる側面図
【図４】左右２本からなる支柱の伸縮式支持アームによる側面図
【図５】図３と図４における正面図
【図６】４本からなる支柱の、屋根の高さを最低位置に設置した状態の側面図
【図７】４本からなる支柱の、屋根の傾斜を最大傾斜角（落雪時）に設定した状態の側面図
【図８】パラレルトップ型の側面図
【図９】パラレルトップ型の平面図
【図１０】パラレルトップ型の正面図
【図１１】パラレルトップ型の落雪位置の正面拡大図
【図１２】パラレルトップ型の継合部周辺における側面見取図
【図１３】パラレルトップ型の継合部周辺における平面見取図
【発明を実施するための形態】
【００１９】
ルーフトップ（１）の素材は樹脂による軽量のものが、施工・コスト面からも最適と考えられ、金属フレームとにより形成される。支柱においては、昇降機能を油圧シリンダにて構成する場合、損傷に対する保護や劣化防止、また自然環境に対してもケーシングを利用し、例えば金属製の支柱内に備える構造とする。この構造を判り易くするために図１〜図７をケーシングなし、図８〜図１３をケーシングありとして作図した。
【００２０】
回動式については、メインシリンダ（２ａ）の最上部に回動式駆動部を具備することが可能か否かについては本出願人の見識の及ばざる領域にて、該駆動部を装備した形態と装備しない形態とを開示する。
【００２１】
図１及び図２は１台駐車用のカーポートであり、通常片側に２本の支柱を立設する形態が多く、車庫入れや車への乗車時に有利な状況である。図１はメインシリンダ回動ヘッド（３ａ）によるもので、図２はメインシリンダ固定ヘッド（３ｂ）とルーフトップ伸縮シリンダ（２ｂ）によるものである。
【００２２】
２台駐車用としては、左右に１本ずつ、計２本の支柱による形態として、図３に示すメインシリンダ（２ａ）の最頂部にメインシリンダ回動ヘッド（３ａ）を備えルーフトップ支持アーム（１ａ）が固着される。前記メインシリンダ回動ヘッド（３ａ）が回動することでルーフトップ（１）の傾斜角が変更される。しかし、ルーフトップ（１）は前後へと移動するため稼動による占有面積も広く必要とし、傾斜角の変更も最適な状況とは言えない。そこで図４によるルーフトップ支持アーム（１ａ）の一方（道路に面するフロント側）をルーフトップ支持シリンダ（２ｂ）とすることで、前記の問題の解消に至る。
【００２３】
次に左右２本ずつ計４本の支柱に立設されるカーポートの場合、屋根が水平に位置する時（図６参照）はフロントシリンダ（４ａ）とリアシリンダ（５ａ）との距離はシリンダ上部の間隔とシリンダ底部の間隔が同一であるのに対し、屋根が傾斜した場合シリンダ底部の間隔においては変化しないものの、シリンダ上部の間隔においては、水平距離が異なることとなる。
【００２４】
そこでフロントシリンダ（４ａ）の底部を、フロントシリンダ可倒ベース（４ｃ）とすることで対応することとなる。この現象は図６以後のパラレル型によるメインポール（６ａ）とサイドポール（６ｂ）の関係においても見られ、この場合は継合部（７）の形状によって対応している。また、図６及び図７を正面図と見立てて左右へ傾斜させ、排水・排雪を行う形態も可能で、この場合２台の駐車車輛に対し、屋根の高さを若干適応させることができる。
【００２５】
次に車輛が２台並列に駐車する場合、屋根（１）を２分割し其其の車輛の高さに合わせ利用する形態（パラレルトップ型）について図８以降を参照し説明すると、支柱はメインポール（６ａ）とサイドポール（６ｂ）とにより屋根（１）を支持する。屋根（１）は車輛１台分のため面積は狭く、また支柱の位置も適切であり風圧による影響は少ない構造である。また、雨天時も排水を側面に流出させることで雨樋の利用をなくすこともできる。このパラレルトップ型は一台の駐車用のカーポートを２基設置する場合と類似するものであるが、コストや強度面からみて有利といえる。当然１台用のカーポートとしてこの形態を利用することは可能であり、立地条件によっては有利となる場合も多い。
【００２６】
ケーシング利用時における油圧シリンダの構造は、図１２及び図１３を参照に説明すると、メインポールシリンダ（１０ａ）はメインポール（６ａ）内にてシリンダ固定板（１１）で支持される。シリンダヘッド（１０ｂ）はメインポール（６ａ）の横断面となる内部と略同じ形状とし、メインポール（６ａ）の上部に設けられた昇降用開口部（８）の延長において摺動状態にて昇降することとなる。該シリンダヘッド（１０ｂ）に固着、若しくは一体となるシリンダヘッドジョイント（１０ｃ）は、ルーフトップフレーム（１２）、若しくは継合部（７）、若しくはその両方を支持することでルーフトップ（１）を支持し昇降可能とする。
【００２７】
サイドポール（６ｂ）はメインポール（６ａ）同様油圧シリンダを備え開口部により昇降する構造ではあるが、屋根（１）の重量を多く受けることはなく、強度的には何ら問題を抱えるものではない。また、メインポール（６ａ）とサイドポール（６ｂ）とに支持される屋根（１）は、傾斜角が変わることによるメインポール（６ａ）との支点の移動に対しシリンダヘッドジョイント（１０ｃ）が、継合部（７）に設けられた開口部内を移動することで対応する。
【００２８】
次に昇降時における操作方法として、屋根が水平若しくは傾斜した状態のまま、各油圧シリンダが同様に昇降することで屋根の高さを変えることができ、油圧シリンダの一方のみが昇降することで屋根の傾斜角を変えることとなる。リモコンによる操作方法や設定パネル（スイッチ）、またセンサによる安全管理等適宜装備されることとなる。特に屋根が低い位置に設定されるため、屋根の金属フレームと頭部との接触に留意する必要があり、緩衝材等の利用も考慮する。
【００２９】
雨樋については落雪時に干渉しない構造としなければならない。例えば屋根の軒先近くに無数の穴を設け、穴の下側、つまり屋根の下面側より雨樋を取り付けることで、雨水は穴から雨樋へと流出し、落雪時には雪と雨樋とが干渉することはない。
【符号の説明】
【００３０】
１    屋根（ルーフトップ）
１ａ  ルーフトップ支持アーム
２ａ  メインシリンダ
２ｂ  ルーフトップ伸縮シリンダ
３ａ  メインシリンダ回動ヘッド
３ｂ  メインシリンダ固定ヘッド
４ａ  フロントシリンダ
４ｂ  フロントシリンダ回動部
４ｃ  フロントシリンダ可倒ベース
５ａ  リアシリンダ
５ｂ  リアシリンダ回動部
６ａ  メインポール
６ｂ  サイドポール
７    継合部
８    昇降用開口部
９    補強フレーム
１０ａ  メインポールシリンダ
１０ｂ  シリンダヘッド
１０ｃ  シリンダヘッドジョイント
１１    シリンダ固定板
１２    ルーフトップフレーム
【図１】
2017206808.tif 000003
【図２】
2017206808.tif 000004
【図３】
2017206808.tif 000005
【図４】
2017206808.tif 000006
【図５】
2017206808.tif 000007
【図６】
2017206808.tif 000008
【図７】
2017206808.tif 000009
【図８】
2017206808.tif 000010
【図９】
2017206808.tif 000011
【図１０】
2017206808.tif 000012
【図１１】
2017206808.tif 000013
【図１２】
2017206808.tif 000014
【図１３】
2017206808.tif 000015
【手続補正書】
【提出日】平成28年9月9日(2016.9.9)
【手続補正１】
【補正対象書類名】特許請求の範囲
【補正対象項目名】全文
【補正方法】変更
【補正の内容】
【特許請求の範囲】
【請求項１】
カーポートにおいて、屋根を支持する２本の昇降機能を具備する支柱であって、該支柱の最上部に備えられたメインシリンダ回動ヘッド、若しくは該メインシリンダ回動ヘッドに固着されたルーフトップ支持アームの何れかによって支持される屋根において、該屋根の高さと傾斜角とを可変可能することを特徴とするカーポート。
【手続補正書】
【提出日】平成28年9月23日(2016.9.23)
【手続補正１】
【補正対象書類名】特許請求の範囲
【補正対象項目名】全文
【補正方法】変更
【補正の内容】
【特許請求の範囲】
【請求項１】
カーポートにおいて、屋根を支持する２本の昇降機能を具備する支柱であって、該支柱の最上部に備えられたメインシリンダ回動ヘッド、若しくは該メインシリンダ回動ヘッドに固着されたルーフトップ支持アームの何れかによって支持される屋根において、該屋根の高さと傾斜角とを可変可能することを特徴とするカーポート。
【請求項２】
屋根を支持する４本の昇降機能を具備する支柱であって、該支柱の片側の２本の底部を回動構造とすることで、屋根の高さと傾斜角とを可変可能とすることを特徴とするカーポート。
【請求項３】
屋根を支持する２本の昇降機能を具備する支柱であって、該支柱の一方となるメインシリンダに備えられた屋根支持部となるシリンダヘッドジョイントが継合部に設けられた開口部内において移動することで、屋根の高さと傾斜角とを可変可能とすることを特徴とするカーポート。
【手続補正書】
【提出日】平成28年12月2日(2016.12.2)
【手続補正１】
【補正対象書類名】特許請求の範囲
【補正対象項目名】全文
【補正方法】変更
【補正の内容】
【特許請求の範囲】
【請求項１】
屋根を支持する４本の昇降機能を具備する支柱であって、該支柱の片側の２本の底部を回動構造とすることで、屋根の高さと傾斜角とを可変可能とすることを特徴とするカーポート。
【請求項２】
屋根を支持する２本の昇降機能を具備する支柱であって、該支柱の一方となるメインシリンダに備えられた屋根支持部となるシリンダヘッドジョイントが継合部に設けられた開口部内において移動することで、屋根の高さと傾斜角とを可変可能とすることを特徴とするカーポート。